Podtech/llm-jp-corpus-v4-ja_patent huggingface dataset:
(57)【要約】      （修正有）【課題】苔球造り盆栽及び球造り盆栽に於いて、植物に適合した用土で植え込み、植物に必要な通気性や保湿性の向上を図り、且つ、簡単に短時間で作業が出来るようにすること。【解決手段】植物を植え込むときに水苔やピートモス等の繊維状の用土の使用及びケト土等粘土質の用土を使用することによる通気性や保湿性を阻害しないように、植物に適合した用土で植え込めるように略球形等の網目鉢とし、且つ、表面の苔をはりつけ易いように、鉢外側表面に苔を刺せるように鉢外側表面に針状突起を一体化したものである。【選択図】図１
0003118968.tif 000002
【実用新案登録請求の範囲】
【請求項１】
苔球造り盆栽や球造り盆栽を目的とした、略球形の上部に植物植え込み口の為の
開口部以外の全面に０、５ミリから１５ミリの円形や、多角形等の網目空間を施した
植物植え込みの網目鉢。
【請求項２】
前記、鉢の外側表面部に２ミリから５ミリの苔をはりつける易くする為の針状突起物を
設けた請求項１きさいの、植物植え込み用の網目鉢。
【請求項３】
前記、請求項１及び請求項２を使用した、苔球造り盆栽や球造り盆栽の製造。
【考案の詳細な説明】
【技術分野】
【０００１】
本考案は、苔球盆栽造り及び球造り盆栽等を容易にならしめる鉢に関するものである。
【背景技術】
【０００２】
従来、苔球等盆栽造りは水苔やピートモス等繊維質の用土で荒めの用土と植えつける為の植物の根を一緒に包み込みナイロン糸等で縛りながら略球形等の形にし、その表面に苔をはりつけるかケト土等粘土質の用土に荒めの用土をまぜて植物の根を包み込むようにナイロン糸等で縛りながら丸めて、その表面に苔をはりつけていた。
【考案の開示】
【考案が解決しようとする課題】
【０００３】
しかしながら、このような造り方では、植え込む植物と用土があわない為に植物の通気性不足による根腐れや、保湿性不足による水切れで植物が枯れこむ不都合がある。
【０００４】
根腐れ防止の為に荒めの用土を多く使用すると、丸め等の作業に於いて形が崩れて意図する形が出来ない、又時間と技術を要した。
【０００５】
本考案の鉢は、このような不都合に着目し考案されたものであり、丸める等の作業を省略し、更に植物にあった用土で植え込むことが出来る網目鉢を提供することにある。
【課題を解決するための手段】
【０００６】
本考案は、植物にあった用土がもれない程度の網の目開きをした、略球形等の網目鉢を提供する。
【０００７】
本考案に於いて、上部植え込み口にあらかじめ開口部を設け、網目鉢外側表面に針状の
突起を設けることにより苔のはりつけ作業を容易にした。
【考案の効果】
【０００８】
本考案は、植物の性質にあった通気性、保湿性を持たせる為の用度を使用せしめる網目鉢の為、通気性不足による植物の根腐れや、保湿性不足による水切れでの枯れ込みが改善される。
【０００９】
従来の方法で通気性や保湿性の良い用土を使い、植物の根と一緒に丸める等の形を造る際に形が崩れてしまう、その為に繊維質や、粘土質の用土を使用せざるを得なかったが本考案では網目鉢に植物にあった用土で植え込むだけの為に、丸める等の形を造る作業が省略でき、誰でも簡単に短時間で出来る利点がある、更に外側表面の突起を設けた事で苔をはりつける作業も容易になり短時間で出来る利点がある。
【考案を実施するための最良の形態】
【００１０】
以下、本考案の実施形態を略球形網目鉢使用による苔球盆栽造りを例に説明する。
【００１１】
図１は、略球形網目鉢の斜視図である、植え込む植物〔ア〕にあった大きさの略球形網目鉢図１の上部植え込み口部〔Ａ〕より植物にあった用土を三分の一程いれ植物の根を網目鉢図１に入れ、残りの用土を網目鉢いっぱいに入れる、この際植物〔ア〕の根が張って鉢に入りにくい時は、植え込み口を指で開いて植え込むその為に植え込み口にあらかじめ切り込み〔Ｂ〕を入れておくと便利である、植物の植え込みが終わったら網目鉢の外側表面に苔〔イ〕をはりつけて完成図２
【図面の簡単な説明】
【００１２】
【図１】網目鉢斜視図である。
【図２】植物植え込み、苔はりつけ完成図である。
【符号の説明】
【００１３】
Ａ  上面植物植え込み用の植え込み口である。
Ｂ  鉢外側表面の拡大図である。
Ｃ  植え込み時植え込み口を広げる為の切り込みである。
ア  植え込み用の植物である。
イ  網目鉢外側表面にはりつけた苔である。
【図１】
0003118968.tif 000003
【図２】
0003118968.tif 000004
【手続補正書】
【提出日】平成17年6月29日(2005.6.29)
【手続補正１】
【補正対象書類名】実用新案登録請求の範囲
【補正対象項目名】全文
【補正方法】変更
【補正の内容】
【実用新案登録請求の範囲】
【請求項１】
苔球造り盆栽や球造り盆栽を目的とした、略球形の上部に植物植え込み口の為の開口部以外の全面に０、５ミリから１５ミリの円形や、多角形等の網目空間を施した植物植え込みの網目鉢。
【請求項２】
前記、鉢の外側表面部に２ミリから５ミリの苔をはりつける易くする為の針状突起物を設けた請求項１きさいの、植物植え込み用の網目鉢。
【請求項３】
前記、請求項１及び請求項２を使用した、苔球造り盆栽や球造り盆栽。
(57)【要約】      （修正有）【課題】スポーツ観戦にかかせないメガホンをスマートに携帯する。【解決手段】衣類の上からでも腰に巻くことができるベルトタイプのスポーツ観戦グッズであって、ベルトにメガホンを簡単に装着できるホルダーおよびメガホン以外の応援グッズや身の回りの生活小物を収納できるポケットで構成されることを特徴とする。【選択図】図３
0003118970.tif 000002
【実用新案登録請求の範囲】
【請求項１】
衣類の上からでも腰に巻くことができるベルトタイプのスポーツ観戦グッズであって、ベルトにメガホンを装着できるホルダーを備えた「メガホンを装着できるベルト型スポーツ観戦用グッズ」。
【請求項２】
前記ベルトはホルダーの他に様々な小物が収納できるポケットを備えた「メガホンを装着できるベルト型スポーツ観戦用グッズ」。
【考案の詳細な説明】
【技術分野】
【０００１】  本考案は、スポーツの観戦におけるグッズに関する。
【背景技術】
【０００２】  スポーツ観戦をする際、観客の多くは競技場に応援グッズを持って来場する。特にメガホンは必需品であるが、メガホンというものは容量が大きくかさばるものであるので、携帯するには大変不便である。そのためメガホンを手に持ったままだったり、袋やリュックに収納したり、紐をかけて首から下げたりして持ち運んでいる。
【考案の開示】
【考案が解決しようとする課題】
【０００３】  上述の如く、メガホンを携帯し持ち運ぶことは観客にとって一種のストレスであり、快適なスポーツ観戦の妨げとなる。競技場への往復の際には交通機関のチケットを購入したり、弁当を購入したり、行列に並んだり、入場券を購入したりと、雑多な行為がつきまとうが、メガホンあるいはメガホンを収納したカバンを持つことで手がふさがってしまうため、これらの行為がスムーズに行いにくい。競技場内での観戦中にも、飲食行為やトイレでの用便等も同様である。【０００４】  メガホンに紐をかけて首からぶら下げるやり方は、見た目には不細工であり、敬遠されがちなメガホンの携帯方法である。【０００５】  本考案は、メガホンの携帯につきまとう煩わしさを解消するために成されたものであり、その目的はメガホンをスマートに携帯することによって快適なスポーツ観戦ができるようにすることにある。
【課題を解決するための手段】
【０００６】  上述の目的を達成する本考案は、衣類の上からでも腰に巻くことができるベルトタイプのスポーツ観戦グッズであって、ベルトにメガホンを装着できるホルダーを備えたことを特徴とする。【０００７】  快適なスポーツ観戦のサポートという目的を達するための一例として、メガホン以外の観戦必需品、例えば入場チケットやオペラグラスなどの品々や、あるいは携帯電話や小銭入れといった身の回りの生活小物を収納できるポケットが取り付けられる。
【考案の効果】
【０００８】  以上説明したように本考案によれば、ベルトにホルダーを取り付け、そのホルダーにメガホンを簡単に装着できるようにしたので、メガホン携帯時でも両手の自由がきき、従来までの携帯の煩わしさが解消される。このベルト型スポーツ観戦用グッズを使えば、観戦時や競技場までの往復に伴う所作（例えば飲食行為やチケットの購入、トイレでの用便など）がスムーズに行うことができるため、より観戦が快適になる。また、従来までならメガホンの携帯は見た目の悪さがつきまとっていたが、本考案によればそのファッション性も向上する。
【考案を実施するための最良の形態】
【０００９】  以下、本考案の実施の形態を図面に基づき詳細に説明する。【００１０】  図１〜図３は本考案の第１および第２の実施の形態に係り図１はその全体図、図２はホルダー部の拡大図、図３は実際の装着図である。【００１１】  図１に示すように、繊維質のベルト▲１▼であり、バックル▲２▼を結合することで簡単に装着できる。【００１２】  アジャスター▲３▼（長さを調節する部分）を備えているので、装着する人物のウエストサイズに合わせて見に付けることができる。【００１３】  小物入れ用のポケット▲４▼を備えている。【００１４】  図２に示すように、メガホンを固定するホルダー▲５▼が備えられている。【００１５】  実際の装着は図３の通りとなる。
【実施例】
【００１６】  ベルトの素材は、防水加工が施された生地が望ましい。ポケットに収納した物を降雨や汗などから守るためである。【００１７】  以上、本考案の実施の形態及び実施例を説明したが、本考案の範囲はこれに限定されるものではない。例えば小物入れ用ポケットの大きさや数は状況に応じて適宜選択されるものである。また、メガホンを装着するホルダーの素材や大きさは、世に出回るメガホンの大きさが一律でないところから、同様に適宜選択されるものである。
【産業上の利用可能性】
【００１８】  本考案は主にスポーツイベント関連の分野で利用ができる。
【図面の簡単な説明】
【図１】  本考案の第１及び第２の実施の形態に係るベルト型スポーツ観戦用グッズの全体図である。
【図２】  図１のメガホン装着部であるホルダー部の拡大図である。
【図３】  図１を実際に装着した図である。
【符号の説明】
▲１▼メガホンを装着できるベルト型スポーツ観戦用グッズ
▲２▼バックル
▲３▼アジャスター
▲４▼ポケット
▲５▼ホルダー
【図１】
0003118970.tif 000003
【図２】
0003118970.tif 000004
【図３】
0003118970.tif 000005
【手続補正書】
【提出日】平成17年6月16日(2005.6.16)
【手続補正１】
【補正対象書類名】実用新案登録請求の範囲
【補正対象項目名】請求項１
【補正方法】変更
【補正の内容】
【請求項１】
衣類の上からでも腰に巻くことができ、メガホンを装着できるホルダーを備えたことを特徴とする、メガホンの装着と取り外しができるスポーツ観戦・応援用ホルダー付ベルト。
【手続補正２】
【補正対象書類名】実用新案登録請求の範囲
【補正対象項目名】請求項２
【補正方法】変更
【補正の内容】
【請求項２】
前記ベルトは様々な小物が収納できるポケットを備えたことを特徴とする、メガホンの装着と取り外しができるスポーツ観戦・応援用ホルダー付ベルト。
(57)【要約】【課題】従来の浴衣・着物は決まった１パターンしか着られず、小物類の組み合わせの自由がなかった。また、低迷する着物産業の中で、若い人達が気軽に楽しめる浴衣・着物感覚が薄い。【解決手段】フリル又はレース又は古布を取りつけることで、従来の浴衣・着物にはない新しいファッションが生まれ、小物類の組み合わせが自由となる。また、着物産業の販売促進による活性化効果が出ることで、伝統的民族衣裳を見直すことにもなる。従来の浴衣・着物の着方と、フリル又はレース又は古布を取りつけた着方の２パターンを楽しむことができる。【選択図】  図１
0003118963.tif 000002
【実用新案登録請求の範囲】
【請求項１】
レースを両面テープを用いて浴衣・着物の衿や袖口に着脱可能に取りつけて装飾性を向上させた、レース付浴衣・着物。
【請求項２】
フリルを両面テープを用いて浴衣・着物の衿や袖口に着脱可能に取りつけて装飾性を向上させた、フリル付浴衣・着物。
【請求項３】
日本の四季別に分けた古布を両面テープを用いて浴衣・着物の衿や袖口に着脱可能に取りつけて装飾性を向上させた、古布付浴衣・着物。
【請求項４】
請求項１、２、３に関して、手縫いで縫い付けることも可能な浴衣・着物。
【考案の詳細な説明】
【技術分野】
【０００１】
本考案は、フリルなどの飾りを付けて装飾性を向上した着物に関する。
【背景技術】
【０００２】
従来の浴衣・着物の衿や袖口は、通常本体と同一の生地を用いて固定的に縫い上げられていた。
【特許文献１】実用新案登録  第３０８９７８６号  公報
【考案の開示】
【考案が解決しようとする課題】
【０００３】
低迷している浴衣・着物産業の中で身近に着られる新しいファッションとして定着することができる。従来の浴衣・着物は長く続いた日本的伝統・習慣から小物（帯や履物など）が和風に固定化されることが多かった。
【課題を解決するための手段】
【０００４】
浴衣又は着物の共衿部の内外側から中間袖全部までと袖口左右の内外側に両面テープ又はマジックテープ（登録商標）により取りつけることで、従来通りの浴衣・着物も楽しみ新しいファッションとしても楽しむことができる。
【考案の効果】
【０００５】
取り外しが可能であることからアクセサリー感覚として楽しめる。また、古布も取りつけることで、レトロなものとの組み合わせが新しい流行の浴衣・着物としてオシャレに楽しめる。
【考案を実施するための最良の形態】
【０００６】
レース又はフリル又は古布を浴衣・着物の共衿部の内外側から中間袖までと袖口左右の内外側に両面テープ又はマジックテープ（登録商標）により取りつけ着脱できるようにする。
【実施例】
【０００７】
以下、添付図面に従って実施例を説明する。
着物本体３の袖口２や衿１の部分の内外から袖口左右の内外側に両面テープ又はマジックテープ（登録商標）でフリル・レース・古布を取りつけるものである。
【図面の簡単な説明】
【０００８】
【図１】浴衣・着物本体
【図２】フリルの側面図
【図３】レースの側面図
【図４】古布の側面図
【図５】実際の使用例
【符号の説明】
【０００９】
１  衿
２  袖口
３  着物本体
４  フリル
５  両面テープ又はマジックテープ（登録商標）
６  レース
７  古布
【図１】
0003118963.tif 000003
【図２】
0003118963.tif 000004
【図３】
0003118963.tif 000005
【図４】
0003118963.tif 000006
【図５】
0003118963.tif 000007
(57)【要約】      （修正有）【課題】便利で効果的な印鑑にできるよう両用印とした【解決手段】両端ふた内部にはけ入れ（４）と朱肉入れ（５）を設ける。【選択図】図１
0003118969.tif 000002
【実用新案登録請求の範囲】
【請求項１】
印鑑本体（１）の両端の印字部分（２）と（３）とそれらの部分に合体する所にはけ入れ（４）と朱肉入れ（５）とを両ふた内にはめ込んだ印鑑の構造
【考案の詳細な説明】
【考案の詳細な説明】
【０００１】〔産業上の利用分野〕
この考案は印鑑の両端に印字をして合わせてはけと朱肉を両ふた内に組合わせたセット印鑑に関するものである
【０００２】〔従来の技術〕
従来のものではこのような印鑑セットはなく実印と認め印の組合わせの構造はなかった
【０００３】〔考案が解決しようとする課題〕
これは次のような欠点や難所があった
〔イ〕認め印を忘れたり実印を忘れたりする事が間々あって、大変だった
〔ロ〕印が汚れていても掃除はけがなく恥をかく事があった穴詰り
〔ハ〕認め印がすぐ失うしどの印を押しかいたかわからないあとでもめる事が多い
〔ニ〕実印と認め印があとで夫婦間や親子間で押した押さぬでもめて保証人や金銭契約でトラブル等発生してけんかや夫婦別れもある
〔ホ〕この両用印は夫婦親子社印（代表印）と個人実印等に利用でき双方それぞれの協議印と定まればもめる事がなく便利〔両用〕
本考案はこれらの欠点や難所又は不便の時々等を解決する為に両用利用とセットによるはけと朱肉の印鑑内部の組合により一挙解決する物
【０００４】〔課題を解決するための手段〕
印鑑本体（１）の両端の印字部分（２）と（３）とそれらの部分に合体する所にはけ入れ（４）と朱肉入れ（５）とを両ふた内にはめ込んだ印鑑の構造
【０００５】〔作用〕
両用印である事の便利さ（親と子の実印夫と妻の実印夫の実印と認め印妻の実印と認め印会社印と社長実印等々の組合わせとそれらにより印鑑によるもめ事の防止及び朱肉入れやはけ入れによるセット印の便利さ等々
【０００６】〔実施例〕
本考案の実施例は次の通り説明する
（イ）印鑑本体（１）の両端の印字部分（２）と（３）を作る
（ロ）それらの合体する部分にはけ入れ（４）と朱肉入れをつくる
（ハ）（３）と（４）を両端のふた内部にはめ込む
本考案は以上のような構造でこれを使用する事によりまず両端のいずれかのふたを取れば朱肉とはけがそのふた内部にセットされており両用印により実印と認め印や種々の組合わせの便利さがあり印鑑の争い防止に一役買う協議用印鑑として実施するものでもある
【０００７】〔考案の効果〕
とに角使用すれば大変重用できる新印鑑セットで使用すれば和合の印鑑ともなりうるもの
【図面の簡単な説明】本考案の側面図である
【図１】
0003118969.tif 000003
【手続補正書】
【提出日】平成17年8月10日(2005.8.10)
【手続補正１】
【補正対象書類名】実用新案登録請求の範囲
【補正対象項目名】全文
【補正方法】変更
【補正の内容】
【実用新案登録請求の範囲】
【請求項１】
印鑑本体（１）の両端の印字部分（２）と（３）とそれらの部分の合体するふたの内部にはけ入れ（４）と朱肉入れ（５）を両ふた内にはめ込んだ組合せと構造で構成された印鑑具。
【手続補正書】
【提出日】平成17年10月26日(2005.10.26)
【手続補正１】
【補正対象書類名】実用新案登録請求の範囲
【補正対象項目名】全文
【補正方法】変更
【補正の内容】
【実用新案登録請求の範囲】
【請求項１】
印鑑本体（１）の両端の印字部分（２）（３）にそれぞれふたを合体し、一方のふた内にはけ入れ（４）をはめ込み、他方のふた内に朱肉入れ（５）をはめ込んだ印鑑具
(57)【要約】【課題】床に敷設する用途だけでなく、防カビ殺菌の効果もある保健機能付き床板材を提供する。【解決手段】ベース層と塗布層とを含む保健機能付き床板材において、前記ベース層はプレート形状を呈し、前記塗布層はナノ化された鉱物質であり、前記ベース層の表面に塗布され、前記ナノ化された鉱物質はナノクラスの酸化亜鉛を主体とした鉱物質、又は遠赤外線塗料である。【選択図】図１
0003118920.tif 000002
【実用新案登録請求の範囲】
【請求項１】
ベース層と、塗布層とを含む保健機能付き床板材において、
前記ベース層は、プレート形状を呈し、
前記塗布層は、ナノ化された鉱物質であり、前記ベース層の表面に塗布されたことを特徴とする、保健機能付き床板材。
【請求項２】
前記ナノ化された鉱物質は、ナノクラスの酸化亜鉛を主体とした鉱物質であることを特徴とする、請求項１に記載の保健機能付き床板材。
【請求項３】
前記ナノ化された鉱物質は、遠赤外線塗料であることを特徴とする、請求項１に記載の保健機能付き床板材。
【考案の詳細な説明】
【技術分野】
【０００１】
本考案は、保健機能付き床板材に係り、特に、殺菌防カビ機能を持つナノ化された鉱物質、又は遠赤外線塗料が表面に塗布された床板材に関するものである。
【背景技術】
【０００２】
目下、市販している床板材は、ＥＶＡ発泡素材、人造樹脂素材、又は木質素材で製造されたものは多く、長期間に使用されたと、細菌が繁殖してユーザを感染することがよくあり、最も典型的な病気は水虫であり、そして床板材に付着されたホコリや細菌は、子供のアレルギーの原因になり、大人の胃腸と呼吸系統との病気の原因にもなる。
【考案の開示】
【考案が解決しようとする課題】
【０００３】
従来の床レンガは、殺菌の課題を解決するために、化学薬剤を製品に混入し、又は床レンガの表面に化学薬剤を塗布することが一般である。しかしながら、従来の化学薬剤および加工技術は成熟したものではなく、従来の化学薬剤を多量に混入したと完成品の顔色が変わり、従来の化学薬剤を少量に混入したと効果がなく、だが、床レンガの表面に化学薬剤を塗布することは問題が更に多く、それらは、床レンガの模様に悪影響を与えるだけでなく、床レンガの表面に化学薬剤が付着し難く、そして耐磨耗性の問題もあった。従来の製造技術によれば、生産コストが向上し、原料の歩留率が低下になり、環境を汚染するなどの問題があるので、従来の製造技術の実用性は低い。
【課題を解決するための手段】
【０００４】
上記欠点を解決するためになされた本願の考案は、ベース層と、塗布層とを含む保健機能付き床板材において、前記ベース層は、プレート形状を呈し、前記塗布層は、ナノ化された鉱物質であり、前記ベース層の表面に塗布されたことを特徴とする保健機能付き床板材であることを要旨としている。
【０００５】
本願の考案では、前記ナノ化された鉱物質は、ナノクラスの酸化亜鉛を主体とした鉱物質であることを特徴とする請求項１に記載の保健機能付き床板材であることを要旨としている。
【０００６】
本願の考案では、前記ナノ化された鉱物質は、遠赤外線塗料であることを特徴とする請求項１に記載の保健機能付き床板材であることを要旨としている。
【考案の効果】
【０００７】
本考案に係る保健機能付き床板材によれば、次のような効果がある。
（イ）本考案に係る保健機能付き床板材は、床に敷設する用途だけでなく、防カビ殺菌の効果もあり、且つ酸化亜鉛イオンは、殺菌した後に遊離して、殺菌効果を持続し、だから、室内に細菌の数量が少なくなり、長い効果型の殺菌床板材として使用することができる。
【０００８】
（ロ）ＥＶＡ発泡素材、樹脂素材、又は木質素材の床板材をベース層とすることができ、それらの床板材の表面に塗布層を付けたと、殺菌防カビ効果が長く持続するので、ユーザは良い健康状態を長く保持することができる。
【０００９】
（ハ）ＥＶＡ発泡素材、樹脂素材、又は木質素材の床板材をベース層とし、それらの床板材の表面に遠赤外線塗料を塗布したと、遠赤外線が放射され、これにより、血液循環が促進され、人体の抗体が増加され、病気に対する抵抗力もよくなる。
【考案を実施するための最良の形態】
【００１０】
以下、添付図面を参照して本考案の好適な実施の形態を詳細に説明する。
【００１１】
まず、図１と図２を参照する。本考案に係る保健機能付き床板材は、ベース層１０と、塗布層２０とを含む。
【００１２】
前記ベース層１０は、ＥＶＡ発泡素材、樹脂素材、又は木質素材を採用することができ、プレート形状を呈してもいいし、他の幾何形状を呈してもよく、又は、床板材を大面積に接続するために、その周縁には接続構造を設けてもいい。
【００１３】
前記塗布層２０は、ベース層１０の表面に塗布され、塗布された材料はナノ化された鉱物質でもいいし、遠赤外線塗料でもよく、なお、ナノ化された鉱物質はナノクラスの酸化亜鉛を主体とした鉱物質である。
【００１４】
だから、前記ベース層１０の表面に塗布層２０を塗布したと、本考案に係る保健機能付き床板材が完成された。床の上に本考案に係る保健機能付き床板材を敷設したと、殺菌防カビ効果が長く持続する。
【００１５】
また、酸化亜鉛はナノ化されて太陽や蛍光灯などで照射しないと殺菌効果はなく、且つナノ化された酸化亜鉛は、酸化亜鉛の殺菌特性を利用し現代のナノ技術を応用することにより、酸化亜鉛は極めて低い濃度でも、細菌の繁殖を抑制し、細菌の細胞膜を破壊し、細菌の内部のβ蛋白を強烈に吸引して結合し、細菌の酵素の活性を低減するなどの効果があり、且つ酸化亜鉛イオンの放出は極めて遅いので、殺菌防カビ効果が長く持続する。
【００１６】
また、活性された亜鉛イオンは、細菌の内部のβ蛋白を強烈に吸引して結合し、細菌の酵素の活性を低減する効果を有するので、細菌が殺され、且つ亜鉛イオンは殺された細菌から遊離して他の細菌を継続に殺し、だから、殺菌防カビ効果が長く持続する。また、特に強調したいのは、酸化亜鉛はナノ化されて太陽や蛍光灯などで照射しないと殺菌効果はない。
【図面の簡単な説明】
【００１７】
【図１】本考案に係る実施例の斜視図である。
【図２】本考案に係る実施例の断面図である。
【符号の説明】
【００１８】
１０      ベース層  
２０      塗布層
【図１】
0003118920.tif 000003
【図２】
0003118920.tif 000004
(57)【要約】      （修正有）【課題】墓参り時に使用する備品は必要数を揃えることを提供する。【解決手段】墓参りセットは線香１、ろうそく２、マッチ３、布施袋４、掃除用具５をひとつに纏め袋に収納する構成とする。【選択図】図２
0003118985.tif 000002
【実用新案登録請求の範囲】
【請求項１】
線香１、ろうそく２、マッチ３、布施袋４、小箒５、雑巾６、軍手７を組合せひとつに纏めることを特徴とする墓参りセット。
【考案の詳細な説明】
【技術分野】
【０００１】本考案は墓参りに使用する物品に関する。
【背景技術】
【０００２】従来、墓参り時、線香・ろうそく・マッチ・布施袋等は物品ごとに用意をする必要がある。しかも線香・ろうそく・マッチ・布施袋等は使用する数は限られている。また小箒・雑巾・軍手等の掃除用具も必要である。
【考案の開示】
【考案が解決しようとする課題】
【０００３】このため遠方者、仏壇を持たない者は墓参り時に線香・ろうそく・マッチ・布施袋等は必要数を用意するのは困難である。線香・ろうそく・マッチ・布施袋等を物品ごとに用意をした場合使いきれない残りは不要品として廃棄処分せざるをえない。また小箒・雑巾・軍手等の掃除用具においては特に遠方者が持参できないなどの不便さがある。【０００４】したがって本考案の解決すべき課題は墓参りに使用する線香・ろうそく・マッチ・布施袋・小箒・雑巾・軍手は必要数を揃えて組合せ、ひとつに纏めたものを提供する。
【課題を解決するための手段】
【０００５】本考案に係る墓参りセットは上述の課題を解決するため線香・ろうそく・マッチ・布施袋・小箒・雑巾・軍手を必要数取り揃えることで無駄なく使用できることを特徴としている。【０００６】また本考案は袋に収められ、その袋はごみ袋を兼ねていることを特徴としている。
【考案の実施形態】
【０００７】図１は墓参りセットに組合せる物品の平面図である。
墓参りセットは線香１が１束、ろうそく２は３本、マッチ３は小１箱、布施袋４は２枚、小箒５は１本、雑巾６は２枚、軍手７は一双で構成されている。
【０００８】図２は図１線香１、ろうそく２、マッチ３、布施袋４、小箒５が台紙９に収納される構成になっている。
【実施例】
【０００９】台紙９に収納される図１線香１、ろうそく２、マッチ３、布施袋４、小箒５と雑巾６、軍手７は袋８に収納される。【００１０】図４は袋８の上部を袋内側に折畳み小袋化にし図１墓参りセットを収納する。折畳んだ個所を広げるとごみ袋として利用ができる。
【図面の簡単な説明】
【００１１】
【図１】本考案に係る墓参りセット線香１、ろうそく２、マッチ３、布施袋４、小箒５、雑巾６、軍手７の平面図である。
【図２】墓参りセット線香１、ろうそく２、マッチ３、布施袋４、小箒５を台紙９に収めた斜視図である。
【図３】図２の台紙９を閉じた斜視図である。
【図４】袋８を広げた展開図である。
【符号の説明】
【００１２】１．線香
２．ろうそく
３．マッチ
４．布施袋
５．小箒
６．雑巾
７．軍手
８．袋
９．台紙
【図１】
0003118985.tif 000003
【図２】
0003118985.tif 000004
【図３】
0003118985.tif 000005
【図４】
0003118985.tif 000006
(57)【要約】      （修正有）【課題】塗料缶と手刷毛の両手を必要とする塗装作業形態の労働力負担の軽減と、安全性の確保。作業移動時の刷毛等からの塗料の流出・飛散による、床面の汚れを原因とするクレームの撲滅。【解決手段】塗料刷毛と塗料容器の一体化により片手作業を可能にして、労働力の負担を軽減し腰袋に交換用のプラスチック塗料入り予備容器を入れておく事により作業中の交換を簡単にして、容器の外側に丸形スポンジを取り付ける事で塗料流出・飛散を防止する。【選択図】図２
0003118986.tif 000002
【実用新案登録請求の範囲】
【請求項１】
塗料入り円筒型プラスチック容器に刷毛付ネジ込みキャップを取り付け容器と刷毛を一体化する。
【請求項２】
キャップ内に流出調整用スポンジを取り付け、円筒型塗料容器を指で押して塗料を刷毛に補充する。
容器外側のスポンジは塗料の垂れ流し防止に設けた塗装用刷毛である。
【考案の詳細な説明】
【技術分野】
【０００１】本考案は塗料容器と刷毛を一体化した塗装刷毛に関するものである。
【背景技術】
【０００２】塗装工事を行う場合、刷毛と塗料缶を別々に持ち歩いて塗装が行われている。
【考案の開示】
【考案が解決しようとする課題】
【０００３】塗料缶から手刷毛に塗料を含ませる時の塗料の流れ落ち等をふせいで、床面の汚れによるクレームをなくす。
片手での作業を可能にして、足場作業の落下防止や作業負担の軽減にも役立てる。
【課題を解決する為の手段】
【０００４】本容器は塗料容器と刷毛を一体化させ、塗料缶の持ち運びをなくし、塗料容器を指で押すことにより簡単に刷毛に塗料を補充できる様にした。
【発明の効果】
【０００５】上述の様に手刷毛の作業時における刷毛への塗料の含ませすぎ、塗装時における塗料の飛散を解決し床面の汚れを防止している。
【実施例】
【０００６】以下、添付図面に従って一実施例を説明する。
図１  プラスチック容器を指で押すと空気圧で塗料が補充される。【０００７】図２  塗料容器内のスポンジは塗料流出調整の為である。【０００８】図２  スポンジ塗料の流れ落ちを防止する為のものである。
【図面の簡単な説明】
【０００９】
【図１】  全体図
【図２】  Ａ〜Ａ′断面図
【符号の説明】
【００１０】１  刷毛
２  ネジ込式植毛キャップ
３  塗料流れ落ち留スポンジ
４  プラスチック容器
５  スポンジ塗料送り出し調整器具
６  塗料留め室
【図１】
0003118986.tif 000003
【図２】
0003118986.tif 000004
【手続補正書】
【提出日】平成17年10月26日(2005.10.26)
【手続補正１】
【補正対象書類名】実用新案登録請求の範囲
【補正対象項目名】全文
【補正方法】変更
【補正の内容】
【実用新案登録請求の範囲】
【請求項１】
円筒形プラスティック容器  高さ１２０ｍ／ｍ、直径７０ｍ／ｍの先端に塗料送り出し管のついた着脱式刷毛を取り付け、容器を左右より指で圧縮することにより塗料を刷毛に含ませることができる塗装用具。
(57)【要約】      （修正有）【課題】操作も簡単であり楽しみと愛着をもって取り掛かることができる。【解決手段】花や野菜の茎（幹）に針のある面を表にして止め具（帯全体）アを付ける虫がその下を潜り通れぬ程度に巻き付けながら両端を持ち、かき寄せて切口１に切口２〜４を差し込む。止め具をゆるくない程度の感覚で茎（幹）に垂れ８の字型に巻き付けてゆくので、茎（幹）の肥大に余り影響がない。【選択図】図１
0003118982.tif 000002
【実用新案登録請求の範囲】
【請求項１】
花や野菜等立ち木性の幹に、じゃ腹性の虫を登らせないため止め具（帯・ア）を巻き、付いている各針（Ａ〜Ｔ．ａ〜ｔ．い〜つ）によつて、虫が登ってくるときの伸縮時に腹部を刺したり引っかけたりするように成した花と野菜の哺葡虫止め具法。
【考案の詳細な説明】
【考案の詳細な説明】
【０００１】きれいに咲いた花や家庭菜園で作っている大事な野菜の新芽や葉や実を、夜中に登ってきて食い荒ちす毛虫その他じゃ腹性の哺葡虫を防ぐもの
【技術分野】
【０００２】毛虫などが、花や野菜の茎（幹）を伝って登ってくることを防ぐ方法。
【背景技術】
【０００３】薬剤散布及び捕殺など。
【考案が解決しようとする課題】
【０００４】虫が花や野菜の茎（幹）を伝い登ってくることを防いで、食害から守りきれいな花を観賞したり野菜の品質の低下を防ぐこと。
【課題を解決するための手段】
【０００５】帯状の止め具（帯・ア）は、表面に円錐状の針（Ａ〜Ｔ．ａ〜ｔ．い〜つ）が付いており、その帯を増やす（追加）ときは切口（１）に切口（２〜４）の何ずれかをかき合わせて繋ぐ。普通は、最初の止め具（帯・ア）を一連（段）だけの取付けでよいのだが、これを茎（幹）を中心にして８の字のように巻き、虫の登ることを防ぐために取付ける。
夜間などに虫が土の中から這い出してきて、茎（幹）を登り始めるのに止め具（帯・ア）の各列の針を乗り越えたり、各針の間を通って入って行こうとする。虫が伸縮したり頭を上げたりして登ろうとするので針の先端が腹にすれたり足では踏んで刺したりする。通常、二連（段）的に操作するので、一連（段）目を通り越しても上にもう一連（段）あるので、中央部分帯が通路のように少し広くなっているので、習性上から虫が行ったり来たりする。このような状態の繰り返しをさせて、虫の体力を消耗させ害虫の登るのを防ぐものです。
【考案を実施するための最良の形態】
【０００６】１，虫の登り止め具（帯・ア）は、柔軟性やしなやか性があり、強い弾力性もなくて並みのものとする。表面には長さが２通りの針（Ａ〜Ｔ，ａ〜ｔ，い〜つ）があり、また両端には繋ぎ用の切り口（１〜４）がある。
２，また止め具（帯・ア）表面の針の並びは、長針を２列に配してその正方形になる中央に短針を取り付け、針の間の通行を制約する。
３，止め具（帯・ア）の  幅  は      １５〜２０ｍｍ位
長さは    ２００ｍｍ位
１ｍｍ位にする。
４，針（Ａ〜Ｔ，ａ〜ｔ）は、止め具（帯・ア）の周辺より２〜２．５ｍｍ位内側に取り付けるようにする。
５，止め具の針の長さは、次のようにする。
（Ａ〜Ｔ）型は    １０ｍｍ位
（ａ〜ｔ）型も    １０ｍｍ位
（い〜つ）型は      ５ｍｍ位
６，その針の間隔は、（Ａ〜Ｔ）型及び（ａ〜ｔ）型では、正方形の連続のような配置の間隔にする。
（い〜つ）型は、（Ａ〜Ｔ）型及び（ａ〜ｔ）型の正方形の中間になるようにする。
７，止め具の切り口は、始まり（１）の所１個所と先端の所に３箇所作るがこれは、茎（幹）の直径の相違や成長過程を考慮し継ぎ足し用とするためです。
【考案の効果】
【０００７】主として花壇や家庭菜園に使用するのですが、花びらや葉っぱや果実を虫の食害から防ぎ守ることができて、観賞上にもよく、また野菜の品質の保護や増産につながります。
【図面の簡単な説明】
【図１】  上面図  円錐状で高さ１０ｍｍの針などの配列状況をしめす
【図２】  側面図  針の形状及び切口（深さ１０ｍｍ）の位置を示す。
【図３】  断面図      〃    （切口・１の方向より）
【図４】  拡大図  〔図２〕の側面図を表す。
【図５】  姿  図  （帯・ア）の巻き付け状態を示す。
【符号の説明】
〔ア〕  止め具（帯全体）
〔Ａ〜Ｔ〕及び〔ａ〜ｔ〕  長  針
〔い〜つ〕  短  針
〔１〜４〕  切  口（繋ぎ合わせ用）
【図１】
0003118982.tif 000003
【図２】
0003118982.tif 000004
【図３】
0003118982.tif 000005
【図４】
0003118982.tif 000006
【図５】
0003118982.tif 000007
【手続補正書】
【提出日】平成17年8月25日(2005.8.25)
【手続補正１】
【補正対象書類名】実用新案登録請求の範囲
【補正対象項目名】全文
【補正方法】変更
【補正の内容】
【実用新案登録請求の範囲】
【請求項１】
花や野菜等で立木性の幹に、じゃばら性の虫を登らせないため止め具（帯・ア）を巻き、付いている各針（Ａ〜Ｔ．ａ〜ｔ．い〜つ）によって、虫が登ってくるときの伸縮時に腹部を刺したり引っかけたりするように成した花と野菜の腹這い虫止め具。
(57)【要約】【課題】ラジコンヘリコプターの操縦系統を１ｃｈ減らして、コストを削減しつつ、軽量化を行い、高性能で低価格なラジコンヘリコプターを提供する。【解決手段】２重反転式ラジコンヘリコプターの前進後進操縦を排除し、重心位置をメインマストより前方に配置する。【選択図】  図２
0003118984.tif 000002
【実用新案登録請求の範囲】
【請求項１】
２重反転式ラジコンヘリコプターにおいて、重心位置を変更することで常に前進する状況を作り、ラジコンヘリコプターの操縦系統を少なくした、２ｃｈで飛行可能なラジコンヘリコプター。
【考案の詳細な説明】
【技術分野】
【０００１】本発明は、ラジコンヘリコプターに関するものである。
【背景技術】
【０００２】従来、ラジコンヘリコプターは飛行機と比べても操縦系統が多いので、ラジコンで操縦する場合にも、多くの操縦系統が必要だった。
しかし、小型ラジコンヘリコプターでは、２重反転メインローターを使用しテールローターが不必要となり、さらに出力制御とメインローターピッチ操作を一つにするなどで、上昇下降、左右（ラダー方向）、前進後進の合計３ｃｈまで操縦系統を減らすことが出来た。【０００３】このため、コスト削減により低価格なラジコンヘリコプターをユーザーに提供することが可能となった。
また、１ｃｈ削減できたことで、ラジコンヘリコプターそのものが軽量化でき、飛行性能も向上した。【０００４】しかし、これ以上操縦系統を減らすことは不可能と思われていた。
【考案の開示】
【考案が解決しようとする課題】
【０００５】本考案が解決しようとする問題点は、操縦系統をもう１ｃｈ減らして、コストを削減しつつ、軽量化を行い、高性能で低価格なラジコンヘリコプターを提供することである。
【課題を解決するための手段】
【０００６】２重反転式ラジコンヘリコプターの前進後進操縦を排除し、重心位置をメインマストより前方に配置する。
【考案の効果】
【０００７】ラジコンヘリコプターは、重心がメインマストより前方にあれば、前に傾き前進する。
この特性を利用することで、ラジコンヘリコプターは常に前進し続ける。
操縦系統は上昇下降、左右（ラダー方向）の２ｃｈ操縦だけで、飛行機と同様に飛ぶことが可能となった。
【考案を実施するための最良の形態】
【０００８】重心位置は、メインマストから若干前方に配置するように設計する。
【実施例１】
【０００９】バッテリーなどの重量物で重心位置の微調整をすれば、前進速度を調整することが出来る。
【図面の簡単な説明】
【００１０】
【図１】  ２ｃｈラジコンヘリコプター全体図
【図２】  ２ｃｈラジコンヘリコプター側面図
【符号の説明】
【００１１】Ａ  ２ｃｈラジコンヘリコプターのメインマスト
Ｂ  ２ｃｈラジコンヘリコプター飛行中の重心位置
【図１】
0003118984.tif 000003
【図２】
0003118984.tif 000004
【手続補正書】
【提出日】平成17年10月20日(2005.10.20)
【手続補正１】
【補正対象書類名】実用新案登録請求の範囲
【補正対象項目名】請求項１
【補正方法】変更
【補正の内容】
【請求項１】
２重反転式ラジコンヘリコプターにおいて重心位置をメインマストより前方に配置する事により常に前進する状況を作ることで、ラジコンヘリコプターの操縦系統を少なくした、２ｃｈで飛行可能なラジコンヘリコプター。
(57)【要約】      （修正有）【課題】丸球のネックレスに付随するクラスプ（金具）を、任意の位置に容易にセット出来ると共にクラスプ自体が丸球と接触して傷つくのを防ぐ。【解決手段】１クラスプ本体に３クラスプ開口部を設け、２天然石丸球ネックレスが任意の位置で容易にセット出来ると共に、３クラスプ開口部内にシリコン製のゴムを装着する事により、１クラスプ本体と２天然石丸球ネックレスが直接接触し傷つくのを防ぐと共に留め金具としての機能に役立つ。【選択図】図１
0003118990.tif 000002
【実用新案登録請求の範囲】
【請求項１】
天然石の丸球ネックレスに、シリコン素材使用の特殊金具を取り付け、丸球に傷付ける事無く、長さ調整が自由に出来、簡単に装脱着できるネックレス用金具。
【考案の詳細な説明】
【技術分野】
【０００１】  本考案は、どの部分にでも留められる、ネックレスの留め金（クラスプ）に関するものである。
【背景技術】
【０００２】  丸球のネックレスにおける金具は長さ調節が難しく、しかも今までのものは丸球に直接金具があたり、その丸球に傷をつけてしまう事があった。
【考案の開示】
【考案が解決しようとする課題】
【０００３】  丸球に付いた傷の再加工は経済的に負担も大きく、長さ調節出来ないが為に同じ物を複数本購入しなくてはいけない現状を解決しようとするものである。
【課題を解決するための手段】
【０００４】  本考案は金具自体にシリコン素材を使用し、直接丸球に金属がぶつかる事を防ぎ、且つ、金具形状の加工により脱着の簡素化及び自由な長さ調整を可能にしている。
【考案の効果】
【０００５】  上述のように、本考案のネックレスフリークラスプは止め金具としての機能は勿論の事、どの長さにも留める事が出来る上、丸球への損傷を防ぎ脱着が容易として役立つ。
【考案を実施するための最良の形態】
【０００６】  ネックレスフリークラスプの留める部分に任意の丸球をあわせ、押し込むことにより、本体にあたる事無く収まり、シリコン部分がバネとなり、金具内側に寄せられる。そして、外れなくなる事により留め金具としての効果を発揮し、しかもどの丸球にでも取り付けることが出来ることにより、長さ調節が自在となる。
【実施例】
【０００７】  以下、添付図面に従って説明します。１．は貴金属製のクラスプでどの玉の部分にも留める事が出来る。２．天然石丸球ネックレス。３は１のクラスプの開口部であり、シリコンが装着されていて、ここに任意の玉を合わせ、押し込む事により、玉に傷つける事無く留め金具として機能する。
【図面の簡単な説明】
【０００８】
【図１】  本考案のネックレスフリークラスプの使用例。
【符号の説明】
【０００９】１  クラスプ本体
２  天然石丸球ネックレス
３  クラスプ開口部
【図１】
0003118990.tif 000003
【手続補正書】
【提出日】平成17年10月11日(2005.10.11)
【手続補正１】
【補正対象書類名】実用新案登録請求の範囲
【補正対象項目名】全文
【補正方法】変更
【補正の内容】
【実用新案登録請求の範囲】
【請求項１】
本体に、丸球よりも少し大きめの開口部を設け、その内側にシリコンを設置する事を特徴とする丸球ネックレス用の留め金具。
(57)【要約】【課題】  炭の優れた機能を発揮させるとともに十分な強度と滑らかで美しい表面を有する天井材，壁材，床材等の建築，建設および装飾材となる板状の炭構造物を提供する。【解決手段】  厚みを揃えた塊状の炭を配置して固化剤で板状に成型し，その表面に炭を露出させることによって調湿，吸着，脱臭等の機能を高めて快適な住環境を創造するとともに，内部に混入したネット，型枠，針金や繊維等によって炭を連結してせん断強度や曲げ強度を高め，その表面を切削や研削等によって滑らかに仕上げる。【選択図】  図１
0003118981.tif 000002
【実用新案登録請求の範囲】
【請求項１】
所定の厚みに揃えた塊状の木炭や竹炭等を適当な間隔に配置し，石膏，セメント，粘土，プラステック等の固化剤を隙間に充填し，あるいは，延べ均した固化剤中に塊状の炭を挿入，配置し，板状に固化成型させた後に，表面を切削や研削等によって滑らかに整形した建築，建設および装飾材等の炭構造物。
【請求項２】
請求項１に関して，針金，型枠，繊維等の補強材によって塊状の炭を連結してから固化成型し，もしくは，塊状の炭を含む固化剤中に補強材を挿入して固化成型し，表面を研削等によって整形する構造を強化した炭構造物。
【考案の詳細な説明】
【技術分野】
【０００１】  この考案は，炭の塊を固化剤および補強材で板状に固化成型し，表面を切削や研削等によって整形した建築，建設，装飾材等に用いる炭構造物に関するものである。
【背景技術】
【０００２】  炭のもつ優れた調湿性や脱臭性を活かして快適な住環境を創るために，粒径数ミリの粒状炭や粉炭をセメント等に混合して板状に成型した住宅用建築材（特開２０００−１６０７１２），炭粒を接着剤で板状に成型して貼設した内壁材（特開平６−４９９１６），繊維質シート等に炭粒に混入した内壁材（特開２００２−３６４０４）等が考案されている。これらは，板材の表面積に対して露出した炭材の表面積は極めて小さく，炭の機能をわずかしか活かせないのが実状であった。さらに，混合する炭の割合を増やすと強度が低下し，床材等としては利用できない難点があった。また，表面の色や凹凸等のために美観に欠け，目に付かない所で利用するか，表面を板材等で被覆して利用する必要があった。
【考案の開示】
【考案が解決しようとする課題】
【０００３】  炭構造材の表面積に対して，表面に露出した炭の表面積をできるだけ大きくし，さらに炭構造材の総容積に対して炭の容積をできるだけ大きくすることによって炭の優れた機能を発揮させる。【０００４】  炭構造材は通常の建築資材に比べて耐圧強度，せん断強度，曲げ強度が落ちる難点がある。特に床材として使用可能な十分な耐圧強度，せん断強度および曲げ強度をもたせる。【０００５】  炭構造材は表面の凹凸や色によってそのままでは天井材，壁材，床材あるいは装飾材としての利用は制限されるので，滑らかで美しい表面仕上げを行う。
【課題を解決するための手段】
【０００６】  粒径の小さな粒状炭や粉炭の代わりに所定厚みの塊状の炭を用いて固化剤で成型固化することによって，炭の塊ができるだけ表面に露出または両側面に貫通するように成型する。これによって表面積全体に占める炭の露出表面積，あるいは総容積に占める炭の容積を増やす。【０００７】  塊状の炭の厚みを揃えてできるだけ両側面に貫通するように固化剤で固化成型することによって，炭自体の強度を活かして耐圧強度をあげるとともに，内部にネット，型枠，針金や繊維等を混入するか，もしくは，これらによって炭を連結して固化し，せん断強度や曲げ強度を高める。【０００８】  成型固化した炭構造材の表面を切削や研削等によって滑らかに仕上げる。表面に露出した炭の塊はこの加工によって光沢を放ち，その配置によって様々な模様を描くので，室内装飾材や置物としても利用できる。
【考案の効果】
【０００９】  本考案による炭構造材は，炭の含有割合や露出表面積を大きくするとともに，炭の素材に近い状態で利用するので，炭特有の無数の微細孔による吸着，脱臭，調湿等の特性を有効に発揮できる。床材，床下材，壁面材，仕切材，天井材，家具材等として利用すれば室内の調湿，脱臭，空中浮遊物の吸着等によって快適な室内環境を維持できる。有害化学物質の吸着によりシックハウス症候群の防止や，電磁波遮蔽効果による人体の保護等にも効果的である。【００１０】  本考案による炭構造材は，表面が滑らかで，表面に露出した炭の塊の模様によって，建築材としてだけでなく室内装飾材や置物として利用できる。
【考案を実施するための最良の形態】
【００１１】  厚みを揃えた塊状の木炭や竹炭等を並べ，それらをネット，繊維，針金等で連結し，固化剤で隙間を充填して板状に固化成型する。その上で表面を切削や研削等によって滑らかに仕上げる。より大きな強度を必要とする板材では塊状の炭を格子状の型枠に装着した上で固化成型する。
【実施例】
【００１２】  塊状の炭を補強材によって連結した強化構造を持つ板材を装飾床材として利用する。そのままの状態で用いてもよいが，出入りの激しい所ではカーペット等によって表面を保護する。また当該床材の下に炭を敷き詰めて併せて利用することによって炭の効能をより高める使用法もある。【００１３】  室内の内壁材やその全面または一部に装着して使用する。【００１４】  天井板材として利用する。
【図面の簡単な説明】
【００１５】
【図１】  塊状の炭１を固化剤よりなる主体２の両面に貫通するように成型した板状の炭構造物の概略図および炭の配置状況及び補強材の設置状態を示した断面図である。
【図２】  当該炭構造物を天井板材として用いた場合の設置状態を示した図である。
【図３】  当該炭構造物を内壁材として用いた場合の設置状態を示した断面図である。
【図４】  当該炭構造物を床材として用いた場合の設置状態を示した図である。
【符号の説明】
【００１６】１  塊状の炭
２  固化剤による主体
３  補強材
４  天井桁架または吊架
５  壁材
６  表面貼紙または貼布
７  床桁架
【図１】
0003118981.tif 000003
【図２】
0003118981.tif 000004
【図３】
0003118981.tif 000005
【図４】
0003118981.tif 000006
(57)【要約】      （修正有）【課題】短時間で通行券の受け渡しを済ませ料金所を発進できるためのカードバインダーの提供。【解決手段】自動二輪車のハンドル部（１）またはハンドル周辺部に硬質樹脂又は金属のプレート（２）およびクリップ（３）を取り付け、そのブレードに通行券を挟むための脱落防止ヒモ（４）でつながれたクリップをつけた自動二輪車用通行券カードバインダー。【選択図】図１
0003118983.tif 000002
【実用新案登録請求の範囲】
【請求項１】
自動二輪車のハンドル部、またはハンドル周辺部に取り付け有料道路料金所での通行券を短時間で容易に受け渡しできる事を特徴とするカードバインダー
【考案の詳細な説明】
【技術分野】
【０００１】本考案は、自動二輪車のハンドル部またはハンドル周辺部へ取り付けたカードバインダーに関するものである。
【技術背景】
【０００２】自動二輪車において有料道路料金所で通行券を受け取る場合、また料金を支払う場合はグローブを外し、上着のポケットのファスナーの開け閉めを行なった後、グローブを装着してから発進するため時間がかかり、渋滞の原因となっていた。
【考案の開示】
【考案が解決しようとする課題】
【０００３】グローブの脱着、上着のポケットのファスナーの開閉め等の時間を無くし、なお且つ確実に通行券を一時保管できる器具により、前述の欠点を解決しようとするものである。
【課題を解決するための手段】
【０００４】本考案は、自動二輪車のハンドル部またはハンドル周辺部にカードバインダーを取付け、グローブを脱着することなく、カードバインダーに通行券等を挟み直ちに発進することができる事により、問題点を解決している。
【考案の効果】
【０００５】料金所においてグローブの脱着、上着のポケットのファスナーの開け閉めが不要になり、通行券の受け渡しのための停止時間が短縮され渋滞の発生を抑える事ができる。
【考案を実施するための最良の形態】
【０００６】通行券受取りの際は、料金所にて一旦停止を行い、通行券を受取り、カードバインダーのクリップを開き通行券をカードバインダーに挟み発進する、また料金支払いの際は前もってカードバインダーに通行券及びクレジットカード・ハイウエイカード、また現金の場合は現金を透明な袋にあらかじめ入れておき、それをカードバインダーに挟んでおく、料金支払い後発行された領収をカードバインダーに挟み発進する。
【実施例】
【０００７】以下添付画面にしたがって実施例を説明する。自動二輪車のハンドル部１、またはハンドル周辺部にプレート２を取付け、そのプレートにクリップ３を挟む、クリップが脱落しても容易に元に戻せるようクリップ３とプレート２にヒモ４をつける。
【図面の簡単な説明】
【０００８】
【図１】本考案のカードバインダーの全体図である。
【符号の説明】
【０００９】１  自動二輪車ハンドル
２  プレート
３  クリップ
４  クリップ脱落予防ヒモ
【図１】
0003118983.tif 000003
【手続補正書】
【提出日】平成17年8月26日(2005.8.26)
【手続補正１】
【補正対象書類名】実用新案登録請求の範囲
【補正対象項目名】全文
【補正方法】変更
【補正の内容】
【実用新案登録請求の範囲】
【請求項１】
自動二輪車のハンドル部（１）またはハンドル周辺部に硬質樹脂又は金属のプレート（２）を取り付け、そのブレートに通行券を挟むための脱落防止ヒモ（４）でつながれたクリップをつけた自動二輪車用通行券カードバインダー。